【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
主オーディオオブジェクトと副オーディオオブジェクトをダウンミックスしてダウンミックス信号および残余信号（ｒｅｓｉｄｕａｌ  ｓｉｇｎａｌ）を生成するステップと、
前記ダウンミックス信号および前記残余信号を含むビットストリームを生成するステップと、
を含むことを特徴とするマルチオブジェクトオーディオ符号化方法。
【請求項２】
前記主オーディオオブジェクトは、第１の主オーディオオブジェクトおよび第２の主オーディオオブジェクトを含み、
前記ダウンミックス信号および残余信号を生成するステップは、
前記副オーディオオブジェクトおよび前記第１の主オーディオオブジェクトをダウンミックスして第１のダウンミックス信号および第１の残余信号を生成するステップと、
前記第１のダウンミックス信号と前記第２の主オーディオオブジェクトをダウンミックスして第２のダウンミックス信号および第２の残余信号を生成するステップと、
を含むことを特徴とする請求項１に記載のマルチオブジェクトオーディオ符号化方法。
【請求項３】
前記ダウンミックス信号および残余信号を生成するステップは、前記第２の主オーディオオブジェクトをバイパスするステップをさらに含むことを特徴とする請求項２に記載のマルチオブジェクトオーディオ符号化方法。
【請求項４】
前記副オーディオオブジェクトは、ステレオオーディオオブジェクトがモノオーディオオブジェクトでダウンミックスされたオーディオオブジェクトであることを特徴とする請求項１に記載のマルチオブジェクトオーディオ符号化方法。
【請求項５】
前記副オーディオオブジェクトは、モノオーディオオブジェクトがステレオオーディオオブジェクトでダウンミックスされたオーディオオブジェクトであることを特徴とする請求項１に記載のマルチオブジェクトオーディオ符号化方法。
【請求項６】
前記主オーディオオブジェクトは、モノ主オーディオオブジェクトであり、前記副オーディオオブジェクトが、モノ副オーディオオブジェクトであることを特徴とする請求項１に記載のマルチオブジェクトオーディオ符号化方法。
【請求項７】
前記主オーディオオブジェクトは、ステレオ主オーディオオブジェクトであり、前記副オーディオオブジェクトは、モノ副オーディオオブジェクトであることを特徴とする請求項１に記載のマルチオブジェクトオーディオ符号化方法。
【請求項８】
前記ステレオ主オーディオオブジェクトは、第１及び第２の左チャネル信号および第１及び第２の右チャネル信号を含み、
前記ダウンミックス信号および残余信号を生成するステップは、
前記モノ副オーディオオブジェクトと前記第１の左チャネル信号および第１の右チャネル信号を各々ダウンミックスして第１の左チャネルダウンミックス信号、第１の右チャネルダウンミックス信号および第１の残余信号を生成するステップと、
前記第１の左チャネルダウンミックス信号および第１の右チャネルダウンミックス信号と前記第２の左チャネル信号および第２の右チャネル信号を各々ダウンミックスして第２の左チャネルダウンミックス信号、第２の右チャネルダウンミックス信号および第２の残余信号を生成するステップと、
を含むことを特徴とする請求項７に記載のマルチオブジェクトオーディオ符号化方法。
【請求項９】
前記ダウンミックス信号および残余信号を生成するステップは、前記第２の左チャネル信号および第２の右チャネル信号をバイパスするステップをさらに含むことを特徴とする請求項８に記載のマルチオブジェクトオーディオ符号化方法。
【請求項１０】
前記主オーディオオブジェクトは、ステレオ主オーディオオブジェクトであり、前記副オーディオオブジェクトは、ステレオ副オーディオオブジェクトであることを特徴とする請求項１に記載のマルチオブジェクトオーディオ符号化方法。
【請求項１１】
前記ステレオ主オーディオオブジェクトおよび前記ステレオ副オーディオオブジェクトは、各々第１の信号および第２の信号を含み、
前記ダウンミックス信号および残余信号を生成するステップは、
前記ステレオ主オーディオオブジェクトおよび前記ステレオ副オーディオオブジェクトの第１の信号をダウンミックスして第１のダウンミックス信号および第１の残余信号を生成するステップと、
前記ステレオ主オーディオオブジェクトおよび前記ステレオ副オーディオオブジェクトの第２の信号をダウンミックスして第２のダウンミックス信号および第２の残余信号を生成するステップと、
を含むことを特徴とする請求項１０に記載のマルチオブジェクトオーディオ符号化方法。
【請求項１２】
前記ステレオ主オーディオオブジェクトの第１の信号は、第１の左チャネル信号および第２の左チャネル信号を含み、
前記第１のダウンミックス信号および第１の残余信号を生成するステップは、
前記ステレオ副オーディオオブジェクトの第１の信号および前記第１の左チャネル信号をダウンミックスして第１の左チャネルダウンミックス信号および第１の左チャネル残余信号を生成するステップと、
前記第１の左チャネルダウンミックス信号および前記第２の左チャネル信号をダウンミックスして第２の左チャネルダウンミックス信号および第２の左チャネル残余信号を生成するステップと、
を含むことを特徴とする請求項１１に記載のマルチオブジェクトオーディオ符号化方法。
【請求項１３】
前記第１のダウンミックス信号および第１の残余信号を生成するステップは、前記第２の左チャネル信号をバイパスするステップをさらに含むことを特徴とする請求項１２に記載のマルチオブジェクトオーディオ符号化方法。
【請求項１４】
主オーディオオブジェクトと副オーディオオブジェクトがダウンミックスされたダウンミックス信号および前記ダウンミックスによる残余信号を含むビットストリームを受信するステップと、
前記残余信号を利用して前記ダウンミックス信号から前記主オーディオオブジェクトと前記副オーディオ客体を復元するステップと、
を含むことを特徴とするマルチオブジェクトオーディオ復号化方法。
【請求項１５】
前記主オーディオオブジェクトは、第１の主オーディオオブジェクトおよび第２の主オーディオオブジェクトを含み、
前記残余信号は、前記第１の主オーディオオブジェクトに対する第１の残余信号および前記第２の主オーディオオブジェクトに対する第２の残余信号を含み、
前記復元するステップは、
前記ダウンミックス信号および前記第１の残余信号を利用して前記第１の主オーディオオブジェクトを復元するステップと、
前記第１の主オーディオオブジェクトが復元された後のダウンミックス信号と前記第２の残余信号を利用して前記第２の主オーディオオブジェクトを復元するステップと、
を含むことを特徴とする請求項１４に記載のマルチオブジェクトオーディオ復号化方法。
【請求項１６】
前記主オーディオオブジェクトは、モノ主オーディオオブジェクトであり、前記副オーディオオブジェクトが、モノ副オーディオオブジェクトであることを特徴とする請求項１４に記載のマルチオブジェクトオーディオ復号化方法。
【請求項１７】
前記主オーディオオブジェクトは、ステレオ主オーディオオブジェクトであり、前記副オーディオオブジェクトが、モノ副オーディオオブジェクトであることを特徴とする請求項１４に記載のマルチオブジェクトオーディオ復号化方法。
【請求項１８】
前記ステレオ主オーディオオブジェクトは、第１及び第２の左チャネル信号および第１及び第２の右チャネル信号を含み、
前記残余信号は、前記第１の左チャネルおよび右チャネル信号に対する第１の残余信号と、前記第２の左チャネルおよび右チャネル信号に対する第２の残余信号とを含み、
前記復元するステップは、
前記ダウンミックス信号および前記第１の残余信号を利用して前記第１の左チャネルおよび右チャネル信号を復元するステップと、
前記第１の左チャネルおよび右チャネル信号が復元された後のダウンミックス信号と前記第２の残余信号を利用して前記第２の左チャネルおよび右チャネル信号を復元するステップと、
を含むことを特徴とする請求項１７に記載のマルチオブジェクトオーディオ復号化方法。
【請求項１９】
前記主オーディオオブジェクトは、ステレオ主オーディオオブジェクトであり、前記副オーディオオブジェクトは、ステレオ副オーディオオブジェクトであることを特徴とする請求項１４に記載のマルチオブジェクトオーディオ復号化方法。
【請求項２０】
前記ステレオ主オーディオオブジェクトおよび前記ステレオ副オーディオオブジェクトは、各々第１の信号および第２の信号を含み、
前記残余信号は、前記第１の信号に対する第１の残余信号および前記第２の信号に対する第２の残余信号を含み、
前記復元するステップは、
前記ダウンミックス信号および前記第１の残余信号を利用して前記第１の信号を復元するステップと、
前記ダウンミックス信号および前記第２の残余信号を利用して前記第２の信号を復元するステップと、
を含むことを特徴とする請求項１９に記載のマルチオブジェクトオーディオ復号化方法。
【請求項２１】
前記ステレオ主オーディオオブジェクトの第１の信号は、第１の左チャネル信号および第２の左チャネル信号を含み、
前記第１の残余信号は、前記第１の左チャネル信号に対する第１の左チャネル残余信号および前記第２の左チャネル信号に対する第２の左チャネル残余信号を含み、
前記第１の信号を復元するステップは、
前記ダウンミックス信号および前記第１の左チャネル残余信号を利用して前記第１の左チャネル信号を復元するステップと、
前記第１の左チャネル信号が復元された後のダウンミックス信号および前記第２の左チャネル信号を利用して前記第２の左チャネル信号を復元するステップと、
を含むことを特徴とする請求項２０に記載のマルチオブジェクトオーディオ復号化方法。
【請求項２２】
主オーディオオブジェクトおよび副オーディオオブジェクトをダウンミックスしてダウンミックス信号および残余信号を生成するダウンミックス生成部と、
前記ダウンミックス信号および前記残余信号を含むビットストリームを生成するビットストリーム生成部と、
を含むことを特徴とするマルチオブジェクトオーディオ符号化装置。
【請求項２３】
主オーディオオブジェクトと副オーディオオブジェクトがダウンミックスされたダウンミックス信号および前記ダウンミックスによる残余信号を含むビットストリームを受信する受信部と、
前記残余信号を利用して前記ダウンミックス信号から前記主オーディオオブジェクトおよび前記副オーディオ客体を復元する復元部と、
を含むことを特徴とするマルチオブジェクトオーディオ復号化装置。